(57)【要約】【課題】薬剤の飲み忘れ、飲み過ぎおよび誤飲を防止する技術を提供すること。【解決手段】複数の薬剤を個別に包装するＰＴＰ１の裏面１ａには、ＰＴＰ１のうち薬剤３を包装する各箇所に月曜から日曜までの曜日が一つずつ順に印刷されるとともに日曜の次には８、９、１０の数字を印刷した。【選択図】図１
2005342162.tif 000002
【特許請求の範囲】
【請求項１】
複数の薬剤を個別に包装する薬剤用包装体であって、
この包装体のうち薬剤が包装されている各箇所または当該箇所を特定できる箇所には七曜のいずれか一つの曜日が表示され、かつこれらの曜日が順に表示されている薬剤用包装体。
【請求項２】
複数の薬剤を個別に包装する薬剤用包装体であって、
この包装体のうち薬剤が包装される各箇所または当該箇所を特定できる箇所には七曜のいずれか一つの曜日が表示され、かつこれらの七曜が順に表示されるとともに、当該七曜の最終曜日の次には８から始まる正数が順に表示された薬剤用包装体。
【請求項３】
前記複数の薬剤は、複数段かつ複数列に配列され、
各段または各列に服用時の表示がされ、
服用時を各段に表示した場合は、各列に前記曜日または／および前記正数が表示され、
服用時を各列に表示した場合は、各段に前記曜日または／および前記正数が表示されることを特徴とする請求項１または請求項２に記載の薬剤用包装体。
【発明の詳細な説明】
【技術分野】
【０００１】
本発明は、サプリメントや錠剤を包装する薬剤用包装体に関する。
【背景技術】
【０００２】
サプリメントや錠剤（以下、薬剤）は、処方箋に従って規定時間毎に規定量服用しなければ、十分な効果を得られない。ところが、飲み忘れたり、多めに服用したりすることが往々にしてある。
【０００３】
また、錠剤等は、これらが入るようにプラスチックフィルムをドーム状に成型し、ラミネートでヒートシールしたＰＴＰ（Press Through Package）と称するパッケージに入れられて提供される場合が多い。
【０００４】
ＰＴＰは、そのドーム状の側からラミネートがされている側に使用者が押圧するとラミネートが破けて薬剤の取り出しが容易にできるので、近年需要が高まっている。
【０００５】
ところで錠剤等の飲み忘れや誤飲を防止するために、これまで病院や薬局では、例えば紙製の薬袋の表面に服用量や服用時間等の情報を記入したり、これらの情報が印刷されたシールを貼り付けたり、または薬剤についての説明書を同封したりすることで対処していた。
【０００６】
また、人によってはＰＴＰシートにいつどれだけ服用したらよいのか筆記する場合もあった。
しかし、このような注意を払っても錠剤の種類は極めて多く、また似たような名前や、色や形が類似しているものも少なくないため、間違いを排除することは難しかった。また病院や薬局で筆記したりシールを貼ったりすることは、面倒で手間が掛かった。
【発明の開示】
【発明が解決しようとする課題】
【０００７】
本発明はこのような実情に鑑みて為されたものであり、その解決しようとする課題は、サプリメントや薬剤の飲み忘れや飲み過ぎおよび誤飲を防止することができる技術を提供することにある。
【課題を解決するための手段】
【０００８】
前記した課題を解決するために、本発明の薬剤包装体は以下の手段を採用した。
【０００９】
すなわち本発明によれば、薬剤用包装体それ自体に薬剤をいつ服用したらよいかを予め明示しておく。
【００１０】
具体的には次の通りである。
（１）複数の薬剤を個別に包装する薬剤用包装体であって、この包装体のうち薬剤を包装する各箇所または当該箇所を特定できる箇所には七曜のいずれか一つの曜日を表示し、かつこれらの曜日を包装体全体において順に表示する。
この場合、７日以内の服用に適用できる。
【００１１】
各箇所に順に表示される七曜は、月、月、火、火、水、水・・・というように同じ曜日のものが連続して表示されても、月、火、水・・・のように一つずつ表示しても、また月、水、金のように曜日と曜日の間を空けて表示してもよい。
【００１２】
（２）複数の薬剤を個別に包装する薬剤用包装体であって、この包装体のうち薬剤を包装する各箇所または当該箇所を特定できる箇所には七曜のいずれか一つを表示する。そして、これらの七曜を包装体全体において順に表示し、当該七曜の最終曜日の次には８から始まる正数を順に表示する。
この場合、８日以上服用する場合に適用できる。
【００１３】
（３）前記複数の薬剤を複数段でかつ複数列に配列し、各段または各列に服用時を表示する。服用時を各段に表示した場合は、各列に前記七曜または／および前記正数を表示し、服用時を各列に表示した場合は、各段に前記七曜または／および前記正数を表示する。
服用時とは、服用する性格な時間でも、朝・昼・晩のようにある程度の幅を持たせた時間帯であってもよい。
【００１４】
本発明ではこのような構成であるから、該当日時に服用する薬剤およびその量ならびに服用する時期を特定できる。よって、薬剤の飲み過ぎや誤飲を防止することができる。
【００１５】
また、本発明では、病院や薬局で、または服用者が、服用量や服用日時を包装体や薬袋に筆記したり、これらの情報が表示されたシールを薬袋等に貼ったりする必要がない。
【発明の効果】
【００１６】
したがって本発明によれば、薬剤の飲み忘れ、飲み過ぎおよび誤飲を防止することができる。また、これまでのように薬剤用包装体や薬袋に服用量や服用時期を筆記したり、シールを貼り付けたりする煩わしさから解放される。また病院や薬局では作業の効率化を図れるため、待ち時間の短縮が可能になる。
【発明を実施するための最良の形態】
【００１７】
以下、本発明の実施の形態（以下実施形態）を添付した図面を参照して説明する。
【００１８】
図１に本発明の薬剤用包装体であるＰＴＰ１の全体斜視図を示す。また図２はその平面図である。
【００１９】
ＰＴＰ１には、縦２段および横７列（図２参照）に薬剤３が間隔を空けて個別に包装されて整列されている。これらの薬剤は１錠ずつ取り出し可能となっている。
【００２０】
そして、そのラミネート側である裏面１ａの一側縁には、月曜〜日曜までの七曜の文字が、表示５ａとして一方向から他方向に横並びに一つずつ順に列表示されている。月曜の文字のある列を月曜の列という具合に月曜から日曜までの列がある。
【００２１】
また、裏面１ａの一端縁には、服用時、すなわち服用する時間帯として、朝および夜の文字が、表示５ｂとして図２の上下方向に表示されている。朝の文字のある段を朝の段ということにし、夜の文字のある段を夜の段ということにする。
【００２２】
表示の仕方としては各種あるが、例えば印刷・刻印・シール等が考えられる。なおＰＴＰ１の構成剤を透明体にし、当該透明体の表面だけでなく裏面に施工することで、服用時等の情報を消えにくくすることもできる。
【００２３】
朝・昼・夜の時間帯に服用する場合は、図３の応用例１に示すＰＴＰ１Ａのように、表示５ｂに昼の文字を加えて表示すればよい。この場合、朝・昼・夜の縦三段、横７列になる。
【００２４】
さらに、服用日数が７の倍数日の場合は、本実施形態に掛かる薬剤３を包装するＰＴＰを必要倍数分揃えれば足りる。
【００２５】
ただし服用日数が７日よりも多いが、７の倍数よりも少ない場合（例えば８日以上１３日以下の場合）は、図４の応用例２に示すようなＰＴＰ１Ｂを用いる。
【００２６】
このＰＴＰ１ＢがＰＴＰ１と相違する点は、表示５ａに８以上の正数が含まれている点である。８以上の正数は、前記七曜の最終曜日である日曜日の次に位置する。
【００２７】
図４に示す例で述べれば、数字８〜１０は、それぞれ八日目、九日目および十日目に服用する薬剤３を特定する数字であることを意味する。よって、ＰＴＰ１Ｂは、全部で十日分の薬剤を有するＰＴＰであることがわかる。
【００２８】
上述したような構成のＰＴＰ１，１Ａ，１Ｂによれば、薬剤３を朝と夜の２回、１錠ずつを１日に服用する場合は、朝は、上段における服用開始日の曜日に該当する特定箇所の薬剤３を、そして夕は、下段における服用開始日の曜日に該当する特定箇所の薬剤３を図５のように矢印方向に押し出して取り出す。なお、ここでいう特定箇所とは、段と列との交点のことである。
【００２９】
そして、翌日はその右隣の薬剤、翌々日はさらに右隣の薬剤・・・、というように平面図（図２〜図４）に正対した状態でその左方から右方向に飲み進む。そして開始日が月曜でない場合、例えば、水曜から服用する場合は、最初の曜日が水曜から始まり火曜で終わるように表示された表示５ａにしてもよい。この場合水曜から飲み始めて日曜になると月曜で特定される薬剤へと移行し、同様に左方から右方の薬剤へ飲み進む。
【００３０】
ＰＴＰ１Ｂにあっては、七曜分の薬剤３をすべて服用したら、次は８の数字で特定される薬剤３を服用し、その次は９の数字、さらにその次は１０の数字の薬剤３をそれぞれの該当日に服用する。
【００３１】
薬剤３の飲み忘れがいつでどの時間帯のものかは、残っている薬剤３を見れば容易に確認できる。
また、服用日および服用する時間帯を特定できるので、誤飲および飲み過ぎの心配もない。
【００３２】
なお、本発明は上述の図示例にのみ限定されるものではなく、本発明の要旨を逸脱しない範囲内において種種変更を加え得ることは勿論である。
例えば、七曜や時間帯の表示は、上述した実施例以外にも、英語その他の外国語で表示してもよい。
【００３３】
また、薬剤の概念には通常用いる薬剤に限らず、カプセル剤、顆粒剤、粉末薬、使い捨てのコンタクトレンズ等、その形態を問わず常用品や所定期間定期的に利用するものにも適用できる。
【００３４】
さらに長期に亘って服用することで効果がでてくるサプリメントに適用できるように、月日数を示す例えば１〜３１の数字を月別に表示して１年分のＰＴＰとして提供してもよい。
【００３５】
さらにまた、この実施形態では、段に服用時を表示し、列に七曜日（正数を含む）を表示したが、段および列の表示を入れ替え、段に七曜日を表示し、列に服用時を表示しても実質同じである。
加えて、薬剤が包装されている各箇所に七曜や正数を逐一表示してもよい。
【図面の簡単な説明】
【００３６】
【図１】本発明に係る薬剤用包装体の一部切り欠き斜視図である。
【図２】図１の平面図である。
【図３】応用例１の平面図である。
【図４】応用例２の平面図である。
【図５】図２のＶ−Ｖ線矢示図である。
【符号の説明】
【００３７】
１  ＰＴＰ
１Ａ  ＰＴＰ
１Ｂ  ＰＴＰ
１ａ 裏面
３ 薬剤
５ａ 表示
５ｂ 表示
【図１】
2005342162.tif 000003
【図２】
2005342162.tif 000004
【図３】
2005342162.tif 000005
【図４】
2005342162.tif 000006
【図５】
2005342162.tif 000007